(57)【要約】【課題】遠隔操作機をコード受付部が設置されている方向に向けるように操作者に促すことができる電気機器及び該電気機器の操作方法を提供する。【解決手段】遠隔操作機２から発せられるコード信号を受け付ける受光部１１１乃至１１４を備えるテレビジョン受像機１が受光部１１１乃至１１４が設置されている位置情報を出力する。また、受光部１１１乃至１１４のうち選択された受光部が設置されている位置情報を出力する。また、受光部１１１乃至１１４が設置されている位置情報を当該受光部に対応するＬＥＤ１１７乃至１２０を発光又は音声出力することにより出力する。また、受光部１１１乃至１１４が設置されている位置情報を画像として出力する。【選択図】図１
2008289097.tif 000002
【特許請求の範囲】
【請求項１】
遠隔操作機から発せられたコード信号を受け付けるコード受付部を備える電気機器において、
該コード受付部が設置されている位置情報を出力する出力手段を備えることを特徴とする電気機器。
【請求項２】
前記コード受付部が夫々相違する箇所に複数設置されており、
複数の前記コード受付部のうち前記コード信号を受け付けるべきコード受付部を示す識別情報を受け付ける手段と
を備え、
前記出力手段は、受け付けた識別情報が示すコード受付部が設置されている位置情報を出力するようにしてあることを特徴とする請求項１に記載の電気機器。
【請求項３】
前記コード受付部に対応する光又は音を出力する出力ユニットを備え、
前記出力手段は、前記位置情報を出力すると共に該位置情報を出力するコード受付部に対応する前記出力ユニットで光又は音を出力するようにしてあることを特徴とする請求項１または２に記載の電気機器。
【請求項４】
前記電気機器は、画像を表示する表示手段を備え、
前記出力手段は、前記位置情報を画像として前記表示手段で表示するようにしてあることを特徴とする請求項１から３の何れか一つに記載の電気機器。
【請求項５】
電気機器が有するコード受付部で遠隔操作機から発せられたコード信号を受け付け、受け付けたコード信号に基づいて電気機器が操作される操作方法において、
電源からの給電により動作を開始するとき、前記コード受付部が設置されている位置情報を出力し、
前記位置情報が出力されているコード受付部で遠隔操作機から発せられたコード信号を受け付けることを特徴とする操作方法。
【発明の詳細な説明】
【技術分野】
【０００１】
本発明は遠隔操作機から発せられたコード信号を受け付けるコード受付部が設置された電気機器及び該電気機器を操作する操作方法に関する。
【背景技術】
【０００２】
従来、テレビジョン放送信号を受像するテレビジョン受像機、テレビジョン受像機が受信したテレビジョン放送信号を記録して要求に応じてテレビジョン受像機で再生する記録再生装置などの電気機器が普及している。当該電気機器は、遠隔操作ができるように遠隔操作機から発せられたコード信号を受け付けるためのコード受付部を備えている。
【０００３】
しかし、赤外線などのコード信号の搬送媒体は指向性を有しており、遠隔操作機から発せられた赤外線の光軸がコード受付部が設置されている位置に対して正確に向くように当該遠隔操作機を扱う必要があり、操作者に負担を強いるという問題を有していた。
【０００４】
そこで、例えば、テレビジョン受像機のコード受付部にレンズを設置し、当該コード受付部がより広角の赤外線を受け付けできるようにした遠隔操作の装置が提案された（例えば、特許文献１）。
【特許文献１】実開平１−１７７６７９号公報
【発明の開示】
【発明が解決しようとする課題】
【０００５】
しかしながら、特許文献１に記載された装置は、遠隔操作機から発せられた赤外線の光軸方向がコード受付部の受光が可能な範囲から外れた場合、コード受付部でコード信号を受け付けることができず、従来の問題を確実に解消するものでない。特に、大型のテレビジョン受像機は、正面視の面積が広くコード受付部が様々な場所に設置できるため、操作者は、遠隔操作機を向けるべき方向が理解できずに遠隔操作機を正しく扱うことができない場合が想定される。
【０００６】
本発明はこのような事情に鑑みてなされたものであり、その目的とするところは、操作者にコード受付部が設置されている位置を報知することにより、遠隔操作機をコード受付部が設置されている方向に向けるように操作者に促すことができる電気機器及び該電気機器の操作方法を提供することにある。
【課題を解決するための手段】
【０００７】
上記課題を解決するために本発明に係る電気機器は、遠隔操作機から発せられたコード信号を受け付けるコード受付部を備える電気機器において、該コード受付部が設置されている位置情報を出力する出力手段を備えることを特徴とする。
【０００８】
本発明では、遠隔操作機から発せられるコード信号を受け付けるコード受付部を備える電気機器で当該コード受付部が設置されている位置情報を出力することにより、操作者にコード受付部が設置されている位置を報知し、遠隔操作機をコード受付部が設置されている方向へ向けるように促す。
【０００９】
また、本発明に係る電気機器は、前記コード受付部が夫々相違する箇所に複数設置されており、複数の前記コード受付部のうち前記コード信号を受け付けるべきコード受付部を示す識別情報を受け付ける手段とを備え、前記出力手段は、受け付けた識別情報が示すコード受付部が設置されている位置情報を出力するようにしてあることを特徴とする。
【００１０】
本発明では、遠隔操作機から発せられるコード信号を受け付けるコード受付部を夫々相違する箇所に複数設置し、設置してある複数のコード受付部から選択された、コード信号を受け付けるべきコード受付部を示す識別情報を受け付けることにより、例えば、障害物で遮断されていることにより遠隔操作機から発せられるコード信号が一のコード受付部で受け付けることができない場合であっても、障害物で遮断されていない他のコード受付部に切り替えて当該コード信号を受け付ける。また、受け付けた識別情報が示すコード受付部が設置されている位置情報を出力することにより、操作者にコード信号が受け付けるべきコード受付部が設置されている位置を報知し、遠隔操作機をコード受付部が設置されている方向へ向けるように促す。
【００１１】
また、本発明に係る電気機器は、前記コード受付部に対応する光又は音を出力する出力ユニットを備え、前記出力手段は、前記位置情報を出力すると共に該位置情報を出力するコード受付部に対応する前記出力ユニットで光又は音を出力するようにしてあることを特徴とする。
【００１２】
本発明では、遠隔操作から発せられるコード信号を受け付けるコード受付部を備える電気機器が当該コード受付部が設置されている位置情報を出力するとき、位置情報を出力するコード受付部に対応する出力ユニットで光又は音を出力するようにしてあることにより、コード受付部が設置されている位置が直感的に把握できるように操作者に報知し、遠隔操作機をコード受付部が設置されている方向へ向けるように促す。
【００１３】
また、本発明に係る電気機器は、前記電気機器は、画像を表示する表示手段を備え、前記出力手段は、前記位置情報を画像として前記表示手段で表示するようにしてあることを特徴とする。
【００１４】
本発明では、遠隔操作機から発せられるコード信号を受け付けるコード受付部を備えるテレビジョン受像機が当該コード受付部が設置されている位置情報を画像で表示することにより、コード受付部が設置されている位置が視覚で把握できるように操作者に報知し、遠隔操作機をコード受付部が設置されている方向へ向けるように促す。
【００１５】
また、本発明に係る操作方法は、電気機器が有するコード受付部で遠隔操作機から発せられたコード信号を受け付け、受け付けたコード信号に基づいて電気機器が操作される操作方法において、電源からの給電により動作を開始するとき、前記コード受付部が設置されている位置情報を出力し、前記位置情報が出力されているコード受付部で遠隔操作機から発せられたコード信号を受け付けることを特徴とする。
【００１６】
本発明では、電源からの給電により動作を開始するとき、遠隔操作機から発せられるコード信号を受け付けるコード受付部を備える電気機器が当該コード受付部が設置されている位置情報を出力することにより、操作を開始する操作者にコード受付部が設置されている位置情報を報知し、遠隔操作機をコード受付部が設置されている方向に向けるように操作者に促す。
【発明の効果】
【００１７】
本発明にあっては、当該操作者に遠隔操作機をコード受付部が設置されている方向に向けるように促すことにより、コード受付部が遠隔操作機から発せられるコード信号を確実に受信できる。
【発明を実施するための最良の形態】
【００１８】
以下、本発明に係る電気機器及び該電気機器の操作方法について、実施の形態を示す図面に基づいて説明する。図１は本発明に係る電気機器の外観を示す斜視図、図２は本発明に係る電気機器の構成を示すブロック図である。本実施の形態では、本発明に係る電気機器がテレビジョン受像機である一例を説明していくが、これに限らず、投射型プロジェクター、オーディオ装置などの遠隔操作が可能な装置であってもよい。
【００１９】
テレビジョン受像機１は、図１に示すように、複数の液晶素子を２次元マトリクス状に配列してなる矩形状の液晶表示パネルにより構成されているモニタ１０７を正面中央に備えている。また、モニタ１０７を囲む４辺、即ち、モニタ１０７の周囲の左側、上側、右側、下側に遠隔操作機２から発せられる赤外線を受光するための左側受光部１１１、上側受光部１１２、右側受光部１１３、下側受光部１１４が設置されている。また、左側受光部１１１、上側受光部１１２、右側受光部１１３、下側受光部１１４の設置位置の近傍には、夫々左側ＬＥＤ（Light Emitting Diode）１１７、上側ＬＥＤ１１８、右側ＬＥＤ１１９、下側ＬＥＤ１２０が各受光部に対応して設置されている。
【００２０】
テレビジョン受像機１は、上述した構成の他に、ＲＯＭ１０１、ＲＡＭ１０２、チューナ１０３、入力制御部１０４、操作ボタン１０５、画像出力制御部１０６、モニタ１０７、音声出力制御部１０８、スピーカ１０９、受光制御部１１０、位置情報検出部１１５、ＬＥＤ制御部１１６、制御部１２１、電源３で構成されている。また、各ハードウェアは、信号線１００を介して相互に接続されている。
【００２１】
ＲＯＭ１０１は、ＰＲＯＭ又はフラッシュメモリなどの半導体メモリで構成されている。ＲＯＭ１０１には、受光部の識別情報と該受光部が設置されている位置情報と該受光部の近傍に設置されているＬＥＤの識別情報とを対応付けて格納してある位置情報テーブルＴなどの各種データが記憶されている。当該識別情報及び位置情報は、テレビジョン受像機１の工場出荷時（初期設定時）にＲＯＭ１０１に書き込まれるが、これに限らず、工場出荷後、操作者の入力により更新できるようにしてもよい。ＲＯＭ１０１は、制御部１２１の指示に応じてデータの書き込み又は読み出しがなされる。
【００２２】
ここで、ＲＯＭ１０１に記憶してある位置情報テーブルＴについて説明しておく。図３は位置情報テーブルＴの格納例を示す模式図である。位置情報テーブルＴには、一つのレコードに受光部の識別情報、受光部の位置情報、ＬＥＤの識別情報及び選択フラグが格納されている。受光部の識別情報、受光部の位置情報は、テレビジョン受像機１の工場出荷時に受光部毎に付与されている。また、ＬＥＤの識別情報は、テレビジョン受像機１の工場出荷時にＬＥＤ毎に付与されている。また、選択フラグは、値が１のときに受光部の位置情報を出力することを示し、値が０のときに受光部の位置情報を出力しないことを示す。選択フラグは、テレビジョン受像機１の工場出荷時において全ての値が１になっているが、操作者によって適宜変更される。
【００２３】
ＲＡＭ１０２は、ＳＲＡＭ又はフラッシュメモリなどの半導体メモリで構成されている。ＲＡＭ１０２には、例えば、テレビジョン受像機１に本発明に係る操作方法を実行させるためのプログラム及び当該プログラムを実行することにより生じる各種データが記憶されている。ＲＡＭ１０２は、制御部１２１の指示に応じて情報の書き込み又は読み出しがなされる。
【００２４】
チューナ１０３は、例えば、ＵＨＦテレビジョン放送信号、ＶＨＦテレビジョン放送信号、ＢＳ放送信号、ＣＳ放送信号などを受信するための装置であり、操作者によって選択された放送チャンネルに応じた放送信号を受信し、受信した信号に含まれる画像情報を画像出力制御部１０６へ送信し、当該番組データに含まれる音声情報を音声出力制御部１０８へ送信する。
【００２５】
入力制御部１０４には、操作ボタン１０５が複数接続されている。入力制御部１０４は、操作ボタン１０５が押下されたときに生じるコード信号を情報として受け付け、受け付けた情報をＲＡＭ１０２に送信する。送信された情報はＲＡＭ１０２に記憶される。操作ボタン１０５は、テレビジョン受像機１の操作コードを入力するためのボタンである。
【００２６】
画像出力制御部１０６は、モニタ１０７に接続してあり、チューナ１０３から送信された画像情報を受信し、受信した画像情報に基づく画像をモニタ１０７に表示するための装置である。モニタ１０７は、液晶素子が組み込まれた液晶表示パネルを用いて画像を表示する装置であり、放送番組データに含まれる画像を出力する。また、モニタ１０７は、受光部が設置されている位置情報を画像として出力する。尚、モニタ１０７の表示例については後述する。また、本実施の形態では、モニタ１０７は、液晶表示パネルで構成されている一例を説明しているが、これに限らず、ブラウン管で構成されていてもよい。
【００２７】
音声出力制御部１０８は、スピーカ１０９に接続してあり、チューナ１０３から送信された音声情報を受信し、受信した音声情報に基づく音声をスピーカ１０９から出力するための装置である。
【００２８】
受光制御部１１０には、本発明のコード受付部である受光部が接続してある。左側受光部１１１、上側受光部１１２、右側受光部１１３、下側受光部１１４は夫々、遠隔操作機２から発せられる赤外線を受光して所定の電気信号に変換し、変換した電気信号を受光制御部１１０へ送信する。尚、本実施の形態では、左側受光部１１１、上側受光部１１２、右側受光部１１３、下側受光部１１４の四つの受光部が接続されている一例を説明するが、これに限らず、１又は複数の受光部が接続されてもよい。
【００２９】
受光制御部１１０は、各受光部から送信された電気信号を受信し、受信した電気信号を解析して遠隔操作機２で入力されたコード信号を検出する。受光制御部１１０は、検出したコード信号を制御部１２１に送信する。制御部１２１は、受信したコード信号に応じた処理を実行する。
【００３０】
位置情報検出部１１５は、遠隔操作機２から発せられる赤外線を受け付けるべき受光部の位置情報を検出するための装置である。当該受光部は、テレビジョン受像機１の工場出荷時において、全ての受光部で赤外線を受け付けるようにしてあり、位置情報検出部１１５は、左側受光部１１１、上側受光部１１２、右側受光部１１３、下側受光部１１４の全ての位置情報を制御部１２１へ送信する。制御部１２１は、位置情報検出部１１５から送信された位置情報を受信したとき、受信した位置情報をモニタ１０７に画像として表示する。
【００３１】
また、受光部は、操作者の任意により左側受光部１１１、上側受光部１１２、右側受光部１１３、下側受光部１１４から選択された受光部で赤外線を受け付けるようにでき、位置情報検出部１１５は、操作者により何れかの受光部が選択され、選択された受光部の識別情報を受け付けたとき、位置情報テーブルＴ内の選択フラグを１又は０に更新する。位置情報検出部１１５は、選択フラグが１になっている受光部の位置情報を位置情報テーブルＴから抽出して制御部１２１へ送信する。制御部１２１は、位置情報検出部１１５から送信された位置情報を受信したとき、受信した位置情報をモニタ１０７に画像として表示する。このように、本発明では、操作者が操作し易い方向の受光部のみを受光できるように選択しておくことにより、遠隔操作機２から発せられる赤外線が確実に受光部で受光されるようにできる。
【００３２】
ＬＥＤ制御部１１６には、本発明の出力ユニットであるＬＥＤが接続してある。ＬＥＤ制御部１１６は、制御部１２１から点灯についての指示を受け付け、当該指示に応じてＬＥＤを点灯させる。具体的には、ＬＥＤ制御部１１６は、位置情報テーブルＴ内の選択フラグが１になっているＬＥＤを選定し、選定したＬＥＤを点灯させる。尚、ＬＥＤの点灯は、常時点灯に限らず、所定の時間だけ点灯して消灯する場合、点滅する場合など、操作者の注意を引くような点灯であればよい。また、本実施の形態では、左側ＬＥＤ１１７、上側ＬＥＤ１１８、右側ＬＥＤ１１９、下側ＬＥＤ１２０が接続されている一例を説明するが、これに限らず、１又は複数のＬＥＤが接続されてもよい。
【００３３】
制御部１２１は、上述したテレビジョン受像機１の各ハードウェアを制御する。また、制御部１２１は、ＲＡＭ１０２に記憶してあるプログラムに従って本発明に係る操作方法を実行するための操作処理を行う。尚、制御部１２１が実行する操作処理の手順は後述する。
【００３４】
電源３は、テレビジョン受像機１が有する各ハードウェアに給電するための装置である。テレビジョン受像機１は、電源３から給電されることにより動作を開始する。電源３は、電気コード３１を有する。電気コード３１は、一端に差込プラグ３２を有する。差込プラグ３２は、給電口である差込口に差し込まれ、外部の電気をテレビジョン受像機１に取り込む。電源３は、操作ボタン１０５に含まれる主電源ボタンを介して入力される入切の指示に応じて給電するか否かが制御される。
【００３５】
遠隔操作機２は、図１に示すように、操作コードを入力するための複数の操作ボタン２０１及び赤外線照射用ＬＥＤ（図示せず）を備える。遠隔操作機２は、当該操作ボタン２０１が操作者によって押下されたときにコード信号を発生させ、発生させたコード信号に応じて赤外線照射用ＬＥＤで赤外線を照射する。照射された赤外線は、テレビジョン受像機１の受光部で受光される。このように、遠隔操作機２は、テレビジョン受像機１に対して赤外線を利用した無線通信を行う。
【００３６】
実施例１．
次にテレビジョン受像機１の制御部１２１が実行する本発明に係る操作方法の操作処理の手順について説明する。図４はテレビジョン受像機１の制御部１２１が実行する操作処理の手順を説明するフローチャート、図５はモニタ１０７の表示例を示す画面の模式図である。
【００３７】
操作者は、操作ボタン１０５に含まれる主電源ボタンを介して入切の指示を入力する。電源３は、入の指示を受け付けたとき、外部の電気を取り込み、制御部１２１を含む各ハードウェアへの給電を開始する。テレビジョン受像機１は、電源３からの給電により動作を開始する。その後、電源３は、切の指示を受け付けるまで各ハードウェアへの給電を続ける。
【００３８】
テレビジョン受像機１の制御部１２１は、テレビジョン受像機１が給電開始の状態であるか否かを判断し（Ｓ１０１）、テレビジョン受像機１が給電開始の状態でないと判断した場合（Ｓ１０１でＮＯ）、操作処理を終了する。ここで、給電開始とは、電源３が入の指示に応じて各ハードウェアへの給電を開始した瞬間をいう。一方、給電開始でないとは、電源３が切の指示に応じて給電を停止している場合、電源３が入の指示に応じて給電を続行している場合、又は、電源３が入の指示を受けて給電しているが遠隔操作機２の電源を切にして待機状態にある場合をいう。
【００３９】
一方、制御部１２１は、テレビジョン受像機１が給電開始の状態であると判断した場合（Ｓ１０１でＹＥＳ）、ＲＯＭ１０１に記憶してある位置情報テーブルＴ内の選択フラグが１になっているものがあるか否かを判断し（Ｓ１０２）、選択フラグが１になっているものがないと判断した場合（Ｓ１０２でＮＯ）、即ち、全ての選択フラグが０であり、受光部の位置情報を出力しないように設定されている場合、操作処理を終了する。
【００４０】
一方、制御部１２１は、選択フラグが１になっているものがあると判断した場合（Ｓ１０２でＹＥＳ）、位置情報検出部１１５で選択フラグが１になっている受光部の位置情報を位置情報テーブルＴから抽出し（Ｓ１０３）、抽出した受光部の位置情報をモニタ１０７に画像として表示し（Ｓ１０４）、所定の時間が経過したときに操作処理を終了する。例えば、制御部１２１は、モニタ１０７上にテレビジョン受像機１の正面視の模式図を表示し、当該図中に赤外線の受付が可能な受光部の位置を示すメッセージ及び矢印記号を表示する（図５参照）。操作処理の終了後、制御部１２１は、通常のテレビジョン放送を受像するための処理に移行する。
【００４１】
実施例２．
上述した実施例１では、制御部１２１がモニタ１０７で受光部の位置情報を画像として表示する一例を説明したが、これに限るものでない。そこで、実施例２において、制御部１２１がＬＥＤを点灯させることで受光部の位置を示す一例を説明する。図６は他の実施例におけるテレビジョン受像機１の制御部１２１が実行する操作処理の手順を説明するフローチャート、図７はＬＥＤで受光部の位置情報を出力する一例を示す模式図である。
【００４２】
操作者は、操作ボタン１０５に含まれる主電源ボタンを介して入切の指示を入力する。電源３は、入の指示を受け付けたとき、外部の電気を取り込み、制御部１２１を含む各ハードウェアへの給電を開始する。テレビジョン受像機１は、電源３からの給電により動作を開始する。その後、電源３は、切の指示を受け付けるまで各ハードウェアへの給電を続ける。
【００４３】
テレビジョン受像機１の制御部１２１は、テレビジョン受像機１が給電開始の状態にあるか否かを判断し（Ｓ２０１）、テレビジョン受像機１が給電開始の状態でないと判断した場合（Ｓ２０１でＮＯ）、情報処理を終了する。ここで、給電開始とは、電源３が入の指示に応じて各ハードウェアへの給電を開始した習慣をいう。一方、給電開始でないとは、電源３が切の指示に応じて給電を停止している場合、電源３が入の指示に応じて給電を続行している場合、又は、電源３が入の指示を受けて給電しているが遠隔操作機２の電源を切にして待機状態にある場合をいう。
【００４４】
一方、制御部１２１は、テレビジョン受像機１が給電開始の状態にあると判断した場合（Ｓ２０１でＹＥＳ）、ＲＯＭ１０１に記憶してある位置情報テーブル内の選択フラグが１になっているものがあるか否かを判断し（Ｓ２０２）、選択フラグが１になっているものがないと判断した場合（Ｓ２０２でＮＯ）、即ち、全ての選択フラグが０であり、受光部の位置情報を出力しないよう設定されている場合、操作処理を終了する。
【００４５】
一方、制御部１２１は、選択フラグが１になっているものがあると判断した場合（Ｓ２０２でＹＥＳ）、ＬＥＤ制御部１１６で選択フラグが１になっているＬＥＤを選定し（Ｓ２０３）、選定したＬＥＤを点灯させ（Ｓ２０４）、所定の時間が経過するまでＬＥＤを点灯して操作処理を終了する。例えば、制御部１２１は、位置情報を出力すべき受光部の近傍に設置されているＬＥＤを点灯させる（図７参照）。操作処理の終了後、制御部１２１は、通常のテレビジョン放送を受像するための処理に移行する。
【００４６】
尚、上述した実施の形態では、遠隔操作機２から発せられるコード信号を赤外線を利用してテレビジョン受像機１に無線通信をする一例を説明したが、これに限らず、音、電波、光など指向性を有する媒体を用いて無線通信をするようにしてもよい。
【００４７】
また、上述した実施の形態では、受光部が設置されている位置情報をモニタ１０７で画像として表示する一例を説明したが、これに限らず、スピーカ１０９で音声メッセージを出力するようにしてもよい。
【００４８】
また、上述した実施の形態では、出力ユニットとしてＬＥＤで発光する一例を説明しているが、これに限らず、小型スピーカで音を出力するようにしてもよい。
【００４９】
また、上述した実施の形態では、受光部が設置されている位置情報を出力すべく、モニタ１０７で画像として表示する一例（実施例１）、ＬＥＤを発光させる一例（実施例２）を夫々説明したが、これに限らず、受光部が設置されている位置情報をモニタ１０７で画像として表示したときに当該位置近傍に設置されるＬＥＤを発光させるようにしてもよい。かかる場合、制御部１２１は、図４のフローチャートに従いモニタ１０７に位置情報を表示する処理を実行すると共に、図６のフローチャートに従いＬＥＤを発光させる処理を実行する。
【図面の簡単な説明】
【００５０】
【図１】本発明に係る電気機器の外観を示す斜視図である。
【図２】本発明に係る電気機器の構成を示すブロック図である。
【図３】位置情報テーブルＴの格納例を示す模式図である。
【図４】テレビジョン受像機１の制御部１２１が実行する操作処理の手順を説明するフローチャートである。
【図５】モニタ１０７の表示例を示す画面の模式図である。
【図６】他の実施例におけるテレビジョン受像機１の制御部１２１が実行する操作処理の手順を説明するフローチャートである。
【図７】ＬＥＤで受光部の位置情報を出力する一例を示す模式図である。
【符号の説明】
【００５１】
１  テレビジョン受像機
１０１  ＲＯＭ
１０２  ＲＡＭ
１０３  チューナ
１０４  入力制御部
１０５  操作ボタン
１０６  画像出力制御部
１０７  モニタ
１０８  音声出力制御部
１０９  スピーカ
１１０  受光制御部
１１１  左側受光部
１１２  上側受光部
１１３  右側受光部
１１４  下側受光部
１１５  位置情報検出部
１１６  ＬＥＤ制御部
１１７  左側ＬＥＤ
１１８  上側ＬＥＤ
１１９  右側ＬＥＤ
１２０  下側ＬＥＤ
１２１  制御部
２  遠隔操作機
３  電源
【図１】
2008289097.tif 000003
【図２】
2008289097.tif 000004
【図３】
2008289097.tif 000005
【図４】
2008289097.tif 000006
【図５】
2008289097.tif 000007
【図６】
2008289097.tif 000008
【図７】
2008289097.tif 000009